(57)【特許請求の範囲】
【請求項１】
建造物の高層階に構築される拡張型ネットワークであって、
前記建造物の地上側に設けられ、第１の帯域による無線ＬＡＮ回線での基幹通信を行う地上側アクセスポイントと、
前記第１の帯域による無線ＬＡＮ回線で前記地上側アクセスポイントと前記建造物の高層階との間の基幹通信を行い、前記建造物の高層階の端末との間で第２の帯域による無線ＬＡＮ回線でのフロアー内通信を行う建物側アクセスポイントと、
を備え、
前記地上側アクセスポイントおよび前記建物側アクセスポイントは、前記建造物の側面の周方向に間隔をおいた複数の箇所に対してそれぞれ設けられていることを特徴とする拡張型ネットワーク。
【請求項２】
前記第１の帯域の周波数は、前記第２の帯域の周波数よりも高く、前記第１の帯域による前記無線ＬＡＮ回線の電波の指向性が前記第２の帯域による前記無線ＬＡＮ回線の電波の指向性よりも狭いことを特徴とする請求項１記載の拡張型ネットワーク。
【請求項３】
前記第１の帯域の周波数は５ＧＨｚ帯であり、前記第２の帯域の周波数は２．４ＧＨｚ帯であることを特徴とする請求項２記載の拡張型ネットワーク。
【請求項４】
前記建造物は平面視矩形状を呈し、
前記複数の箇所は前記建造物の４つの面の箇所であることを特徴とする請求項１から３の何れか１項記載の拡張型ネットワーク。
【請求項５】
前記建物側アクセスポイントと前記第２の帯域による無線ＬＡＮ回線で接続され、前記フロアー内通信を可能にするエリアを拡張する中継アクセスポイントを備えたことを特徴とする請求項１から４の何れか１項記載の拡張型ネットワーク。
【請求項６】
前記地上側アクセスポイントは前記建造物の周囲に複数設けられ、前記地上側アクセスポイントと基幹通信を行う前記建物側アクセスポイントは前記建造物の高層階の外壁側に設けられていることを特徴とする請求項１から５の何れか１項記載の拡張型ネットワーク。
【請求項７】
前記地上側アクセスポイントはインターネット回線と通信可能に構成されていることを特徴とする請求項１から６の何れか１項記載の拡張型ネットワーク。
【発明の詳細な説明】
【技術分野】
【０００１】
本発明は、建造物の高層階のエリアの通信ネットワークの構築とその拡張を実現する拡張型ネットワークに関する。
【背景技術】
【０００２】
従来、建造物の例えば１５階を超える高層階では、携帯電話、スマートフォン、タブレット端末を使用して他の端末との間で通信することができない状態になる。このため１５階を超える建造物を建設する場合、高層階の建設現場では通信手段として無線通信用のトランシーバが用いられている。
このような建造物で地上と同様な通信を実現しようとするにはその建造物内でネットワークを構築する必要があり、次のようなものが提案されている（特許文献１参照）。
すなわち、このネットワークは無線通信用の通信線に連結される分散アンテナシステムハブと、有線通信および無線通信用の通信線を通すための水平配線と、遠隔ソケットとを含む統合型ネットワークである。
【先行技術文献】
【特許文献】
【０００３】
【特許文献１】特表２０１４−５１９２６９号公報
【発明の概要】
【発明が解決しようとする課題】
【０００４】
したがって、従来のネットワークでは、地上階から各上層階へ幹線ケーブルを敷設し、敷設した前記幹線ケーブルを各フロアーごとに分岐させネットワークを構築する必要があり、建設途中の建造物の工事現場に適用するのは敷設箇所が仮設となることから工事の進捗状況に応じて敷設箇所を変更するなど容易でなく、無線通信用のトランシーバを用いた場合には送受信される情報量も限られ、情報の内容も音声などの情報に限られてしまうという課題があった。
【０００５】
本発明は、このような事情に鑑みてなされたものであり、建造物の高層階でのネットワークの構築と拡張を容易にし、送受信される情報量の増大に容易に対応でき、音声を含む映像やデータなどの通信も可能にする拡張型ネットワークを提供することを目的とする。
【課題を解決するための手段】
【０００６】
上記目的を達成するために、本発明の拡張型ネットワークは、建造物の高層階に構築される拡張型ネットワークであって、
前記建造物の地上側に設けられ、第１の帯域による無線ＬＡＮ回線での基幹通信を行う地上側アクセスポイントと、
前記第１の帯域による無線ＬＡＮ回線で前記地上側アクセスポイントと前記建造物の高層階との間の基幹通信を行い、前記建造物の高層階の端末との間で第２の帯域による無線ＬＡＮ回線でのフロアー内通信を行う建物側アクセスポイントと、
を備え、
前記地上側アクセスポイントおよび前記建物側アクセスポイントは、前記建造物の側面の周方向に間隔をおいた複数の箇所に対してそれぞれ設けられていることを特徴とする。
【発明の効果】
【０００７】
本発明によれば、建造物の高層階でのネットワークの構築と拡張を容易にし、送受信される情報量の増大に容易に対応できる効果がある。
【図面の簡単な説明】
【０００８】
【図１】本発明の実施の形態１の拡張型ネットワークの構成を示す概略図である。
【図２】本発明の実施の形態２の拡張型ネットワークの構成を示す概略図である。
【図３】本発明の実施の形態３の拡張型ネットワークが適用される状況を示す説明図である。
【発明を実施するための形態】
【０００９】
実施の形態１
以下、本発明の実施の形態について説明する。図１は、本発明の実施の形態である拡張型ネットワークの構成を示す概略図である。この実施の形態の拡張型ネットワークは建造物の高層階、特に携帯電話などの端末で通信可能範囲外となる高所においてネットワークを容易に構築し拡張するものである。
【００１０】
図１に示すように、この拡張型ネットワークは、建設される高層建造物１の工事途中の段階、高層建造物１のフレーム組み立ての段階からＷｉＦｉ無線電波によるネットワークを構築する。このため、建設される高層建造物１を取り囲むように地上側に地上側アクセスポイント１０１，１０２，１０３，１０４を設置する。地上側アクセスポイント１０１，１０２，１０３，１０４は第１の帯域である５ＧＨｚ帯のＷｉＦｉ無線電波を送受信する。
【００１１】
この実施の形態では高層建造物１の形状は直方体とする。また、地上側アクセスポイント１０１，１０２，１０３，１０４は、高層建造物１の各壁面に対面する地上部分で高層建造物１の高層階に設けられた建物側アクセスポイントと通信できる位置に設置される。
【００１２】
すなわち、本実施の形態では、高層建造物１は平面視矩形状を呈し、高層建造物の４つの面の箇所に対応して地上側アクセスポイント１０１，１０２，１０３，１０４および後述する各建物側アクセスポイントが設けられている。
このように高層建造物１の４つの面の箇所に対応して地上側アクセスポイントおよび建物側アクセスポイントを設置することで地上側アクセスポイントと建物側アクセスポイントとの間でのＷｉＦｉ無線電波による通信を安定して確実に行なう上で有利となる。
【００１３】
なお、高層建造物１の形状は平面視矩形状に限定されるものではなく、平面視円形状、平面視三角形状、平面視多角形状、平面視不定形状、あるいはそれらの形状を適宜組み合わせた形状など任意の形状であってもよい。その場合には、地上側アクセスポイントおよび建物側アクセスポイントを、高層建造物１の側面の周方向に間隔をおいた複数の箇所に対してそれぞれ設ければよい。
【００１４】
従って、地上側アクセスポイント１０１は、高層建造物１の壁面２１に対面する地上側から壁面２１に沿って高層建造物１の高層階へ向かってＷｉＦｉ無線電波を発信することが可能である。また、地上側アクセスポイント１０２は、高層建造物１の壁面２２に対面する地上側から壁面２２に沿って高層建造物１の高層階へ向かってＷｉＦｉ無線電波を発信することが可能である。また、地上側アクセスポイント１０３は、高層建造物１の壁面２３に対面する地上側から壁面２３に沿って、地上側アクセスポイント１０４は、高層建造物１の壁面２４に対面する地上側から壁面２４に沿って、高層建造物１の高層階へ向かってＷｉＦｉ無線電波を発信することが可能である。
【００１５】
この実施の形態では、高層建造物１の１５階（１５Ｆ）の壁面２１側に建物側アクセスポイント３１が設けられ、壁面２２側に建物側アクセスポイント３２が設けられ、壁面２３側に建物側アクセスポイント３３が設けられ、壁面２４側に建物側アクセスポイント３４が設けられる。また、高層建造物１の１８階（１８Ｆ）の壁面２１側に建物側アクセスポイント４１が設けられ、壁面２２側に建物側アクセスポイント４２が設けられ、壁面２３側に建物側アクセスポイント４３が設けられ、壁面２４側に建物側アクセスポイント４４が設けられる。
【００１６】
地上側アクセスポイントは、高層建造物１の高層階に設けられた建物側アクセスポイントとの間でＷｉＦｉ無線電波を送受信し基幹通信を行う。このため前記建物側アクセスポイントは高層階の外壁面、ベランダ外壁などの地上側アクセスポイントと通信し易い位置に設置される。この実施の形態では、地上側アクセスポイント１０１は、高層建造物１の１４階に設けられた建物側アクセスポイント１３５と１５階に設けられた建物側アクセスポイント３１と１８階に設けられた建物側アクセスポイント４１との間でＷｉＦｉ無線電波を送受信する。また、地上側アクセスポイント１０２は、高層建造物１の１４階に設けられた建物側アクセスポイント１３６と１５階に設けられた建物側アクセスポイント３２と１８階に設けられた建物側アクセスポイント４２との間でＷｉＦｉ無線電波を送受信する。
【００１７】
また、地上側アクセスポイント１０３は、高層建造物１の１４階に設けられた建物側アクセスポイント１３７と１５階に設けられた建物側アクセスポイント３３と１８階に設けられた建物側アクセスポイント４３との間でＷｉＦｉ無線電波を送受信する。また、地上側アクセスポイント１０４は、高層建造物１の１４階に設けられた建物側アクセスポイント１３８と１５階に設けられた建物側アクセスポイント３４と１８階に設けられた建物側アクセスポイント４４との間でＷｉＦｉ無線電波を送受信する。そして、地上側アクセスポイントは高層建造物１の１４階、１５階、１８階に設けられた建物側アクセスポイントとの間で比較的指向性の強い５ＧＨｚ帯のＷｉＦｉ無線電波を使用し基幹通信を行う。
そして、地上側アクセスポイントと高層建造物１の建物側アクセスポイントとの間はメッシュ接続される。
【００１８】
建物側アクセスポイントは、上の階あるいは下の階の建物側アクセスポイントいづれかの建物側アクセスポイントとの間、上の階および下の階の建物側アクセスポイントとの間で第２の帯域である２．４ＧＨｚ帯のＷｉＦｉ無線電波を使用し上下階通信を行う。
【００１９】
この実施の形態では、１５階に設けられた建物側アクセスポイント３１は、上の階すなわち１６階の建物側アクセスポイント１３１と、下の階すなわち１４階の建物側アクセスポイント１３５との間で２．４ＧＨｚ帯のＷｉＦｉ無線電波を使用し上下階通信を行う。また、１５階に設けられた建物側アクセスポイント３２は、１６階の建物側アクセスポイント１３２と、１４階の建物側アクセスポイント１３６との間で２．４ＧＨｚ帯のＷｉＦｉ無線電波を使用し上下階通信を行う。また、１５階に設けられた建物側アクセスポイント３３は、１６階の建物側アクセスポイント１３３と、１４階の建物側アクセスポイント１３７との間で２．４ＧＨｚ帯のＷｉＦｉ無線電波を使用し上下階通信を行う。また、１５階に設けられた建物側アクセスポイント３４は、１６階の建物側アクセスポイント１３４と、１４階の建物側アクセスポイント１３８との間で２．４ＧＨｚ帯のＷｉＦｉ無線電波を使用し上下階通信を行う。
【００２０】
また、１６階の建物側アクセスポイント１３１は１７階の建物側アクセスポイント１４５との間で２．４ＧＨｚ帯のＷｉＦｉ無線電波を使用し上下階通信を行う。また、１６階の建物側アクセスポイント１３２は１７階の建物側アクセスポイント１４６との間で、１６階の建物側アクセスポイント１３３は１７階の建物側アクセスポイント１４７との間で、１６階の建物側アクセスポイント１３４は１７階の建物側アクセスポイント１４８との間で２．４ＧＨｚ帯のＷｉＦｉ無線電波を使用し上下階通信を行う。
【００２１】
同様に１８階に設けられた建物側アクセスポイント４１は、上の階すなわち１９階の建物側アクセスポイント１４１と下の階すなわち１７階の建物側アクセスポイント１４５との間で２．４ＧＨｚ帯のＷｉＦｉ無線電波を使用し上下階通信を行う。また、１８階に設けられた建物側アクセスポイント４２は、１９階の建物側アクセスポイント１４２と、１７階の建物側アクセスポイント１４６との間で２．４ＧＨｚ帯のＷｉＦｉ無線電波を使用し上下階通信を行う。また、１８階に設けられた建物側アクセスポイント４３は、１９階の建物側アクセスポイント１４３と、１７階の建物側アクセスポイント１４７との間で２．４ＧＨｚ帯のＷｉＦｉ無線電波を使用し上下階通信を行う。また、１８階に設けられた建物側アクセスポイント４４は、１９階の建物側アクセスポイント１４４と、１７階の建物側アクセスポイント１４８との間で２．４ＧＨｚ帯のＷｉＦｉ無線電波を使用し上下階通信を行う。
【００２２】
そして、各階の建物側アクセスポイントは上の階あるいは下の階の建物側アクセスポイントとの間、上の階および下の階の建物側アクセスポイントとの間で上下階通信を行い、リピータとしても機能しながら、高層建造物１の高さ方向に対しＷｉＦｉエリアの構築と拡張を行う。
【００２３】
また、各フロアー内にはリピータが設けられており、各階の建物側アクセスポイントは同一階のフロアーの前記リピータとの間で第２の帯域である２．４ＧＨｚ帯のＷｉＦｉ無線電波を使用しフロアー内通信を行う。また、各リピータは他のリピータとの間で２．４ＧＨｚ帯のＷｉＦｉ無線電波を送受信し中継を行い、同一フロアー内のＷｉＦｉ通信エリアを拡張する。このＷｉＦｉ通信エリアでは、携帯電話、スマートフォン、タブレット端末を使用して他の端末との間で通信することができ、音声を含む映像やデータなどの送受信が可能になる。
【００２４】
例えば１４階の建物側アクセスポイント１３５，１３６，１３７，１３８は同一階のフロアーのリピータ２０１，２０２，２０３のいづれかとフロアー内通信を行う。また、１４階の各リピータは他のリピータとの間で２．４ＧＨｚ帯のＷｉＦｉ無線電波の送受信と中継を行い、１４階のフロアー内のＷｉＦｉ通信エリアを拡張する。
【００２５】
１５階の建物側アクセスポイント３１，３２，３３，３４は同一階のフロアーのリピータ２１１，２１２，２１３のいづれかとフロアー内通信を行う。また、１５階の各リピータは他のリピータとの間で２．４ＧＨｚ帯のＷｉＦｉ無線電波の送受信と中継を行い、１５階のフロアー内のＷｉＦｉ通信エリアを拡張する。
【００２６】
１６階の建物側アクセスポイント１３１，１３２，１３３，１３４は同一階のフロアーのリピータ２２１，２２２，２２３のいづれかとフロアー内通信を行う。また、１６階の各リピータは他のリピータとの間で２．４ＧＨｚ帯のＷｉＦｉ無線電波の送受信と中継を行い、１６階のフロアー内のＷｉＦｉ通信エリアを拡張する。
【００２７】
１７階の建物側アクセスポイント１４５，１４６，１４７，１４８は同一階のフロアーのリピータ２３１，２３２，２３３のいづれかとフロアー内通信を行う。また、１７階の各リピータは他のリピータとの間で２．４ＧＨｚ帯のＷｉＦｉ無線電波の送受信と中継を行い、１７階のフロアー内のＷｉＦｉ通信エリアを拡張する。
【００２８】
１８階の建物側アクセスポイント４１，４２，４３，４４は同一階のフロアーのリピータ２４１，２４２，２４３のいずれかとフロアー内通信を行う。また、１８階の各リピータは他のリピータとの間で２．４ＧＨｚ帯のＷｉＦｉ無線電波の送受信と中継を行い、１８階のフロアー内のＷｉＦｉ通信エリアを拡張する。
１９階の建物側アクセスポイント１４１，１４２，１４３，１４４は同一階のフロアーのリピータ２５１，２５２，２５３のいづれかとフロアー内通信を行う。また、１９階の各リピータは他のリピータとの間で２．４ＧＨｚ帯のＷｉＦｉ無線電波の送受信と中継を行い、１９階のフロアー内のＷｉＦｉ通信エリアを拡張する。
【００２９】
地上側アクセスポイント１０１，１０２，１０３，１０４は、切替スイッチ３０１を介して切り替えられてサーバ３０２へ有線ＬＡＮ４０１，４０２，４０３，４０４により接続される。サーバ３０２は、高層建造物１を建設する建設工事の管理事務所に設置される。
【００３０】
地上側アクセスポイント１０１，１０２，１０３，１０４は切替スイッチ３０１により切り替えられ、高層建造物の高層階でＷｉＦｉ通信エリアを拡張する場合に通信品質を維持できない状況に柔軟に対応し、通信品質を維持できないＷｉＦｉ通信エリアを無くし良好な通信品質を確保できるように、高層建造物１の一方向からのみでなく高層建造物１を包むように高層建造物の複数の方向から地上と高層階との間の基幹通信を行う。
【００３１】
次に動作について説明する。
高層建造物１は、基礎工事が完成した後に建物のフレームから建設が開始される。組み立てられる建物のフレームが１５階程度に達するようになるまでは携帯電話が使用可能である。これに対し組み立てられる建物のフレームが１５階以上の階になると携帯電話が使用不能になる。このため１５階以上の高層建造物１を建設する現場では建物のフレームが立ち上がる前に有線ＬＡＮ４０１，４０２，４０３，４０４のケーブルを敷設し、建設される高層建造物１を包むように複数の方向からの地上と高層階との間の基幹通信を想定し、地上側アクセスポイント１０１，１０２，１０３，１０４を設置する。建物のフレームが立ち上がり、例えば１５階近くになると、フレームが組まれた段階で建物側アクセスポイントを設置する。
【００３２】
図１に示す例では、１４階のフレームが組まれた段階で建物側アクセスポイントが１４階の各壁面側あるいはベランダ壁面側に設置される。すなわち建物側アクセスポイント１３５が１４階の壁面２１側に設置され、建物側アクセスポイント１３６が壁面２２側に設置され、建物側アクセスポイント１３７が壁面２３側に設置され、建物側アクセスポイント１３８が壁面２４側に設置される。さらに１４階のフロアー内にＷｉＦｉ通信エリアを拡張するためにリピータ２０１、２０２，２０３を設置する。
【００３３】
１４階に続いて１５階のフレームを組む場合には、組み上げられている１４階のフレームの各壁面側あるいはベランダ壁面側に設置された建物側アクセスポイント１３５，１３６，１３７，１３８と地上側アクセスポイント１０１，１０２，１０３，１０４とを使用して１４階のフロアーと地上との間で基幹通信を実現する。また、１４階のフロアーに設置したリピータ２０１、２０２，２０３により拡張したフロアー内のＷｉＦｉ通信エリアから１５階のフレームの組み立て作業の支援を行う。
【００３４】
１４階に続いて１５階のフレームが組まれると、建物側アクセスポイント３１，３２，３３，３４が１５階の各壁面側あるいはベランダ壁面側に設置される。すなわち建物側アクセスポイント３１が１５階の壁面２１側に設置され、建物側アクセスポイント３２が壁面２２側に設置され、建物側アクセスポイント３３が壁面２３側に設置され、建物側アクセスポイント３４が壁面２４側に設置される。さらに１５階のフロアー内にＷｉＦｉ通信エリアを拡張するためにリピータ２１１、２１２，２１３を設置する。
【００３５】
１５階のフロアーの建物側アクセスポイント３１，３２，３３，３４が設置されると、地上側アクセスポイント１０１，１０２，１０３，１０４と建物側アクセスポイント３１，３２，３３，３４とにより５ＧＨｚの無線電波により１５階のフロアーと地上との間で基幹通信を行う。さらに建物側アクセスポイント３１，３２，３３，３４のいづれかとリピータ２１１、２１２，２１３とにより２．４ＧＨｚ帯のＷｉＦｉ無線電波を中継して１５階フロアーのＷｉＦｉ通信エリアの拡張を実現し、１５階フロアーのＷｉＦｉ通信が可能になる。
【００３６】
このとき、１５階の建物側アクセスポイント３１と１４階の建物側アクセスポイント１３５との間、１５階の建物側アクセスポイント３２と１４階の建物側アクセスポイント１３６との間、１５階の建物側アクセスポイント３３と１４階の建物側アクセスポイント１３７との間、１５階の建物側アクセスポイント３４と１４階の建物側アクセスポイント１３８との間により２．４ＧＨｚのＷｉＦｉ無線電波による上下階通信を行い、さらに１４階の建物側アクセスポイント１３５，１３６，１３７，１３８のいづれかとリピータ２０１、２０２，２０３とにより２．４ＧＨｚ帯のＷｉＦｉ無線電波を中継して１４階フロアーのＷｉＦｉ通信エリアを拡張し、１４階フロアーのＷｉＦｉ通信を行うようにすることもできる。
【００３７】
１５階に続いて１６階のフレームを組む場合には、組み上げられている１５階のフレームの各壁面側あるいはベランダの壁面側に設置された建物側アクセスポイント３１，３２，３３，３４と地上側アクセスポイント１０１，１０２，１０３，１０４とを使用し、また、１５階のフロアーに設置したリピータ２１１、２１２，２１３により拡張したフロアー内通信エリアから１６階のフレームの組み立て作業の支援を行う。
【００３８】
１６階のフレームが組まれると建物側アクセスポイント１３１，１３２，１３３，１３４が１６階の各壁面側に設置される。すなわち建物側アクセスポイント１３１が１６階の壁面２１側に設置され、建物側アクセスポイント１３２が壁面２２側に設置され、建物側アクセスポイント１３３が壁面２３側に設置され、建物側アクセスポイント１３４が壁面２４側に設置される。さらに１６階のフロアー内にＷｉＦｉ通信エリアを拡張するためにリピータ２２１、２２２，２２３を設置する。
【００３９】
１６階の建物側アクセスポイント１３１，１３２，１３３，１３４が設置されると、１５階の建物側アクセスポイント３１と１６階の建物側アクセスポイント１３１との間、１５階の建物側アクセスポイント３２と１６階の建物側アクセスポイント１３２との間、１５階の建物側アクセスポイント３３と１６階の建物側アクセスポイント１３３との間、１５階の建物側アクセスポイント３４と１６階の建物側アクセスポイント１３４との間により２．４ＧＨｚのＷｉＦｉ無線電波による上下階通信が実現する。さらに１６階の建物側アクセスポイント１３１，１３２，１３３，１３４のいづれかとリピータ２２１、２２２，２２３とにより２．４ＧＨｚ帯のＷｉＦｉ無線電波を中継して１６階フロアーのＷｉＦｉ通信エリアの拡張が実現し、１６階フロアーのＷｉＦｉ通信が可能になる。
【００４０】
１７階のフレームを組む場合には、組み上げられている１６階のフレームの各壁面側あるいはベランダの壁面側に設置された建物側アクセスポイント１３１，１３２，１３３，１３４と１５階の建物側アクセスポイント３１，３２，３３，３４との間の上下階通信、
１５階の建物側アクセスポイント３１，３２，３３，３４と地上側アクセスポイント１０１，１０２，１０３，１０４との間の基幹通信を使用し、また、１６階のフロアーに設置したリピータ２２１、２２２，２２３により拡張したフロアー内通信エリアから１７階のフレームの組み立て作業の支援を行う。
【００４１】
１７階のフレームが組まれると建物側アクセスポイント１４５，１４６，１４７，１４８が１７階の各壁面側に設置される。すなわち建物側アクセスポイント１４５が１７階の壁面２１側に設置され、建物側アクセスポイント１４６が壁面２２側に設置され、建物側アクセスポイント１４７が壁面２３側に設置され、建物側アクセスポイント１４８が壁面２４側に設置される。さらに１７階のフロアー内にＷｉＦｉ通信エリアを拡張するためにリピータ２３１、２３２，２３３を設置する。
【００４２】
１７階の建物側アクセスポイント１４５，１４６，１４７，１４８が設置されると、１７階の建物側アクセスポイント１４５と１６階の建物側アクセスポイント１３１との間、１７階の建物側アクセスポイント１４６と１６階の建物側アクセスポイント１３２との間、１７階の建物側アクセスポイント１４７と１６階の建物側アクセスポイント１３３との間、１７階の建物側アクセスポイント１４８と１６階の建物側アクセスポイント１３４との間に２．４ＧＨｚのＷｉＦｉ無線電波による上下階通信が実現する。さらに１７階の建物側アクセスポイント１４５，１４６，１４７，１４８のいづれかとリピータ２３１、２３２，２３３とにより２．４ＧＨｚ帯のＷｉＦｉ無線電波を中継して１７階フロアーのＷｉＦｉ通信エリアを拡張し、１７階フロアーのＷｉＦｉ通信が可能になる。
【００４３】
１８階のフレームを組む場合には、組み上げられている１７階のフレームの各壁面側あるいはベランダ壁面側に設置された建物側アクセスポイント１４５，１４６，１４７，１４８と１６階の建物側アクセスポイント１３１，１３２，１３３，１３４と１５階の建物側アクセスポイント３１，３２，３３，３４との間の上下階通信、１５階の建物側アクセスポイント３１，３２，３３，３４と地上側アクセスポイント１０１，１０２，１０３，１０４との間の基幹通信を使用し、また、１７階のフロアーに設置したリピータ２３１、２３２，２３３により拡張したフロアー内通信エリアから１８階のフレームの組み立て作業の支援を行う。
【００４４】
１８階のフレームが組まれると建物側アクセスポイント４１，４２，４３，４４が１８階の各壁面側に設置される。すなわち建物側アクセスポイント４１が１８階の壁面２１側に設置され、建物側アクセスポイント４２が壁面２２側に設置され、建物側アクセスポイント４３が壁面２３側に設置され、建物側アクセスポイント４４が壁面２４側に設置される。さらに１８階のフロアー内にＷｉＦｉ通信エリアを拡張するためにリピータ２４１、２４２，２４３を設置する。
【００４５】
１８階の建物側アクセスポイント４１，４２，４３，４４が設置されると、建物側アクセスポイント４１，４２，４３，４４と地上側アクセスポイント１０１，１０２，１０３，１０４との間の基幹通信が実現する。また、１８階の建物側アクセスポイント４１，４２，４３，４４と１７階の建物側アクセスポイント１４５，１４６，１４７，１４８との間の上下階通信が実現する。
【００４６】
また、１８階の建物側アクセスポイント４１，４２，４３，４４のいづれかとリピータ２４１、２４２，２４３とにより２．４ＧＨｚ帯のＷｉＦｉ無線電波を中継して１８階フロアーのＷｉＦｉ通信エリアを拡張し、１８階フロアーのＷｉＦｉ通信が可能になる。
【００４７】
１９階のフレームを組む場合には、組み上げられている１８階のフレームの各壁面側あるいはベランダ壁面側に設置された建物側アクセスポイント４１，４２，４３，４４と
１７階の建物側アクセスポイント１４５，１４６，１４７，１４８と１６階の建物側アクセスポイント１３１，１３２，１３３，１３４と１５階の建物側アクセスポイント３１，３２，３３，３４との間の上下階通信、１５階の建物側アクセスポイント３１，３２，３３，３４と地上側アクセスポイント１０１，１０２，１０３，１０４との間の基幹通信を使用する。あるいは１８階の建物側アクセスポイント４１，４２，４３，４４と地上側アクセスポイント１０１，１０２，１０３，１０４との間の基幹通信を使用し、１８階のフロアーに設置したリピータ２４１、２４２，２４３により拡張したフロアー内通信エリアから１９階のフレームの組み立て作業の支援を行う。
【００４８】
１９階のフレームが組まれると建物側アクセスポイント１４１，１４２，１４３，１４４が１９階の各壁面側に設置される。すなわち建物側アクセスポイント１４１が１９階の壁面２１側に設置され、建物側アクセスポイント１４２が壁面２２側に設置され、建物側アクセスポイント１４３が壁面２３側に設置され、建物側アクセスポイント１４４が壁面２４側に設置される。さらに１９階のフロアー内にＷｉＦｉ通信エリアを拡張するためにリピータ２５１、２５２，２５３を設置する。
【００４９】
１９階の建物側アクセスポイント１４１，１４２，１４３，１４４が設置されると、建物側アクセスポイント１４１，１４２，１４３，１４４と１８階の建物側アクセスポイント４１，４２，４３，４４との間の上下階通信が実現する。
【００５０】
また、１９階の建物側アクセスポイント１４１，１４２，１４３，１４４のいづれかとリピータ２５１、２５２，２５３とにより２．４ＧＨｚ帯のＷｉＦｉ無線電波を中継して１９階フロアーのＷｉＦｉ通信エリアを拡張し、１９階フロアーのＷｉＦｉ通信が可能になる。
【００５１】
以上説明したように、この実施の形態によれば、高層建造物１の建設現場、特に携帯電話が使用できない１５階以上の高層階において、工事途中の段階、フレーム組み立ての段階からＷｉＦｉ無線電波によるネットワークを容易に構築し拡張できる。
【００５２】
また、ＷｉＦｉ通信エリアからスマートフォン、パーソナルコンピュータ，タブレット端末などを利用して、音声だけでなく映像、データなどを高速で送受信でき、工事現場に対し建設支援などを効果的に実施できる。
【００５３】
また、携帯電話などを利用する場合に比べＷｉＦｉにより通信費用をかけることなく現場が外部と通信できる。
【００５４】
また、本実施の形態では、地上側アクセスポイントによる基幹通信を第１の帯域の周波数５ＧＨｚで行なうと共に、建物側アクセスポイントによる無線ＬＡＮ回線でのフロアー内通信を第２の帯域の周波数２．４ＧＨｚで行うようにし、第１の帯域による無線ＬＡＮ回線の電波の指向性を第２の帯域による無線ＬＡＮ回線の電波の指向性よりも狭いものとした。
したがって、地上側アクセスポイントと建物側アクセスポイントとの間での基幹通信を電波の指向性が狭い電波で行なうことから、地上側アクセスポイントと建物側アクセスポイントとの距離が大きな場合であっても、基幹通信を安定して確実に行なう上で有利となる。
また、建物側アクセスポイントによるフロアー内通信を電波の指向性が広い電波で行なうことから広がりをもったフロアー内での通信を安定して確実に行なう上で有利となる。
なお、第１の帯域が５ＧＨｚであり第２の帯域が２．４ＧＨｚであるという組み合わせに限定されるものではないが、第１の帯域の周波数として５ＧＨｚ帯を用い、第２の帯域の周波数として２．４ＧＨｚ帯を用いた場合は、地上側アクセスポイントおよび建物側アクセスポイントが既に普及していることから入手性が容易であり、また、建物側アクセスポイントとフロアー内通信を行なう各種通信端末の入手性が容易となり、拡張型ネットワークを短期間にかつ安価に構成する上で有利となる。
なお、将来、無線ＬＡＮの帯域が拡張され、２．４ＧＨｚ、５ＧＨｚ以外の帯域が使用可能になった場合は、２．４ＧＨｚ、５ＧＨｚの帯域に加えて、それら拡張された帯域の無線ＬＡＮを使用してもよいことは無論である。
また、実施の形態では、第１の帯域の周波数が、第２の帯域の周波数よりも高い場合について説明したが、第１の帯域の周波数が、第２の帯域の周波数よりも低い場合であっても本発明は無論適用される。
ただし、本実施の形態のように、第１の帯域の周波数が、第２の帯域の周波数よりも高いと、第１の帯域による無線ＬＡＮ回線の電波の指向性が第２の帯域による無線ＬＡＮ回線の電波の指向性よりも狭くなるため、基幹通信を安定して確実に行なう上で有利となる。
【００５５】
なお、地上側アクセスポイントはインターネット回線とサーバ３０２を介して通信可能に構成されていてもよく、この場合は、建物側アクセスポイントとフロアー内通信を行なう各種通信端末を用いて容易にインターネット回線にアクセスすることができ、ユーザーの利便性の向上を図る上で有利となる。
【００５６】
実施の形態２
図２は、本発明の実施の形態２である拡張型ネットワークの構成を示す概略図である。この実施の形態２の拡張型ネットワークは高層建造物を含むエリアにネットワークを容易に構築し拡張する。図２において図１と同一または相当の部分については同一の符号を付し説明を省略する。
【００５７】
この実施の形態では、高層建造物１の屋上付近に地上側アクセスポイント１０１，１０２，１０３，１０４との間で基幹通信を行う通信エリア拡張用のアクセスポイント５０１を設けている。さらに屋外使用可能なリピータとして機能する拡張用アクセスポイント６０１をエリア５０２に設置する。アクセスポイント５０１は地上側アクセスポイント１０１，１０２，１０３，１０４との間で５ＧＨｚ帯のＷｉＦｉ無線電波による基幹通信を行い、さらにエリア５０２に設置した拡張用アクセスポイント６０１との間で５ＧＨｚのＷｉＦｉ無線電波を中継しＷｉＦｉ通信エリアを拡張する際の基幹通信を行う。
【００５８】
拡張用アクセスポイント６０１はリピータとしても機能し、２．４ＧＨｚ帯のＷｉＦｉ無線電波を中継してＷｉＦｉ通信エリアの構築と拡張を可能にする。拡張用アクセスポイント６０１の設置は地上付近に限ることなく建物の屋上などに設置し、複数の拡張用アクセスポイントを経由してＷｉＦｉ通信エリアを拡張することが可能である。
【００５９】
図３は、この実施の形態の拡張型ネットワークが適用される状況を示す説明図である。
建設された高層建造物１には隣接するエリア２，３，４，５が設けられている。エリア２には拡張用アクセスポイント１１，１２，１３が設けられている。また、エリア３には拡張アクセスポイント１４が設けられている。エリア４には拡張用アクセスポイント１５，１６が設けられている。エリア５には拡張アクセスポイント１７，１８が設けられている。エリア６には拡張用アクセスポイント１９，２０が設けられている。
【００６０】
エリア２では、拡張用アクセスポイント１１はアクセスポイント５０１と５ＧＨｚ帯のＷｉＦｉ無線電波による基幹通信を行い、さらに他の拡張用アクセスポイント１２，１３との間で２．４ＧＨｚ帯のＷｉＦｉ無線電波を送受信してＷｉＦｉによるネットワークを構築しＷｉＦｉ通信エリアを拡張する。
【００６１】
エリア４では、拡張用アクセスポイント１５がアクセスポイント５０１と５ＧＨｚ帯のＷｉＦｉ無線電波による基幹通信を行い、さらに他の拡張用アクセスポイント１６との間で２．４ＧＨｚ帯のＷｉＦｉ無線電波を送受信してＷｉＦｉによるネットワークを構築しＷｉＦｉ通信エリアを拡張する。エリア５では、拡張用アクセスポイント１７がアクセスポイント５０１と５ＧＨｚ帯のＷｉＦｉ無線電波による基幹通信を行い、さらに他の拡張用アクセスポイント１８との間で２．４ＧＨｚ帯のＷｉＦｉ無線電波を送受信してＷｉＦｉによるネットワークを構築しＷｉＦｉ通信エリアを拡張する。エリア６では、拡張用アクセスポイント１９がアクセスポイント５０１と５ＧＨｚ帯のＷｉＦｉ無線電波による基幹通信を行い、さらに他の拡張用アクセスポイント２０との間で２．４ＧＨｚ帯のＷｉＦｉ無線電波を送受信してＷｉＦｉによるネットワークを構築しＷｉＦｉ通信エリアを拡張する。
【００６２】
以上、説明したように、この実施の形態によれば、高層建造物近隣のエリアに対しＷｉＦｉ無線電波によるネットワークを容易に構築し拡張できる効果がある。
【符号の説明】
【００６３】
１……高層建造物、１０１，１０２，１０３，１０４……地上側アクセスポイント、３１，３２，３３，３４，４１，４２，４３，４４，１３１，１３２，１３３，１３４，１３５，１３６，１３７，１３８，１４１，１４２，１４３，１４４，１４５，１４６，１４７，１４８……建物側アクセスポイント、２０１，２０２，２０３，２１１，２１２，２１３，２２１，２２２，２２３，２３１，２３２，２３３，２５１，２５２，２５３……リピータ（中継アクセスポイント）、５０１……アクセスポイント、６０１……拡張用アクセスポイント。
【図１】
0006482840.tif 000002
【図２】
0006482840.tif 000003
【図３】
0006482840.tif 000004